(57)【要約】      （修正有）【課題】耐火性と遮音性を有する木質壁を提供する。【解決手段】木製の荷重支持層３４と、荷重支持層の外側に設けられた耐火性を有する被覆層３６とを備えた第１耐火木質板部材３０と、木製の荷重支持層４２と、荷重支持層の外側に設けられた耐火性を有する被覆層４４とを備え、第１耐火木質板部材と間隔をあけて対向配置された第２耐火木質板部材３２と、を有する。【選択図】図１
2019090270.tif 000002
【特許請求の範囲】
【請求項１】
木製の荷重支持層と、該荷重支持層の外側に設けられた耐火性を有する被覆層とを備えた第１耐火木質板部材と、
木製の荷重支持層と、該荷重支持層の外側に設けられた耐火性を有する被覆層とを備え、前記第１耐火木質板部材と間隔をあけて対向配置された第２耐火木質板部材と、
を有する木質壁。
【請求項２】
構造部材の外周面に取り付けられ、前記第１耐火木質板部材の荷重支持層の端部と前記第２耐火木質板部材の荷重支持層の端部との間に設けられたスペーサー部材と、
前記スペーサー部材に、前記第１耐火木質板部材の荷重支持層の端部と前記第２耐火木質板部材の荷重支持層の端部とを接合して、前記構造部材に前記第１耐火木質板部材と前記第２耐火木質板部材を接合する接合部材と、
を有する請求項１に記載の木質壁。
【請求項３】
前記被覆層は、前記荷重支持層の外側に設けられた第１燃え止まり層を備え、
前記構造部材は、荷重支持部と、前記荷重支持部の側面に前記第１燃え止まり層と連続するように設けられた第２燃え止まり層とを備える請求項２に記載の木質壁。
【発明の詳細な説明】
【技術分野】
【０００１】
本発明は、耐火性を有する木質壁に関する。
【背景技術】
【０００２】
耐火性を有する木質の構造部材がある。例えば、特許文献１には、木材からなる荷重支持層と、荷重支持層の外側に設けられた燃え止まり層と、燃え止まり層の外側に設けられた燃え代層と、を有する複合木質構造材が開示されている。
【０００３】
一方、このような耐火性を有する木質の構造部材を壁材とした木質壁において、遮音性を持たせることが求められている。
【先行技術文献】
【特許文献】
【０００４】
【特許文献１】特開２００８−２１８９号公報
【発明の概要】
【発明が解決しようとする課題】
【０００５】
本発明は係る事実を考慮し、耐火性と遮音性を有する木質壁を提供することを課題とする。
【課題を解決するための手段】
【０００６】
第１態様に係る木質壁は、木製の荷重支持層と、該荷重支持層の外側に設けられた耐火性を有する被覆層とを備えた第１耐火木質板部材と、木製の荷重支持層と、該荷重支持層の外側に設けられた耐火性を有する被覆層とを備え、前記第１耐火木質板部材と間隔をあけて対向配置された第２耐火木質板部材と、を有する。
【０００７】
第１態様に係る木質壁によれば、第１耐火木質板部材と第２耐火木質板部材とを間隔をあけて対向配置することにより、第１耐火木質板部材の荷重支持層と、第２耐火木質板部材の荷重支持層との間に空気層を形成し、この空気層によって遮音性を発揮することができる。すなわち、耐火性と遮音性を有する木質壁とすることができる。
【０００８】
第２態様に係る木質壁は、第１態様に係る木質壁において、構造部材の外周面に取り付けられ、前記第１耐火木質板部材の荷重支持層の端部と前記第２耐火木質板部材の荷重支持層の端部との間に設けられたスペーサー部材と、前記スペーサー部材に、前記第１耐火木質板部材の荷重支持層の端部と前記第２耐火木質板部材の荷重支持層の端部とを接合して、前記構造部材に前記第１耐火木質板部材と前記第２耐火木質板部材を接合する接合部材と、を有する。
【０００９】
第２態様に係る木質壁によれば、スペーサー部材により、第１耐火木質板部材の荷重支持層と、第２耐火木質板部材の荷重支持層との間に、容易に空気層を形成することができる。また、スペーサー部材により、構造部材に第１耐火木質板部材及び第２耐火木質板部材を確実に接合することができる。
【００１０】
第３態様に係る木質壁は、第２態様に係る木質壁において、前記被覆層は、前記荷重支持層の外側に設けられた第１燃え止まり層を備え、前記構造部材は、荷重支持部と、前記荷重支持部の側面に前記第１燃え止まり層と連続するように設けられた第２燃え止まり層とを備える。
【００１１】
第３態様に係る木質壁によれば、被覆層に設けられた第１燃え止まり層と、構造部材に設けられた第２燃え止まり層とが連続しているので、第１耐火木質板部材及び第２耐火木質板部材と、構造部材との接合部から内部への熱の進入を抑制することができる。これにより、第１耐火木質板部材の荷重支持層、第２耐火木質板部材の荷重支持層、及び構造部材の荷重支持部の燃焼を抑制し、木質壁及び構造部材の耐火性を向上させることができる。
【発明の効果】
【００１２】
本発明は上記構成としたので、耐火性と遮音性を有する木質壁を提供することができる。
【図面の簡単な説明】
【００１３】
【図１】本発明の実施形態に係る木質壁を示す側面断面図である。
【図２】本発明の実施形態に係るスペーサー部材を示す斜視図である。
【図３】本発明の実施形態に係る木質壁のバリエーションを示す平面断面図である。
【図４】本発明の実施形態に係る木質壁のバリエーションを示す側面断面図である。
【図５】本発明の実施形態に係る木質壁のバリエーションを示す平面断面図である。
【発明を実施するための形態】
【００１４】
図を参照しながら、本発明の実施形態を説明する。まず、本発明の実施形態に係る木質壁について説明する。
【００１５】
図１の側面断面図に示すように、本実施形態の木質壁１０は、構造部材としての床スラブ１２と、床スラブ１２の上方に配置されて床スラブ１４を支持する構造部材としての梁部材１６との間に設置された耐震壁である。床スラブ１２、１４は、鉄筋コンクリートにより形成されている。なお、床スラブ１２、１４は、鉄筋コンクリート以外のもので形成されていてもよい。例えば、床スラブ１２、１４を木造としてもよい。
【００１６】
梁部材１６は、荷重を支持する木製の荷重支持部１８と、荷重支持部１８の側面と下面とを取り囲むようにして荷重支持部１８の外側に設けられた燃え止まり層２０と、燃え止まり層２０の側面と下面とを取り囲むようにして燃え止まり層２０の外側に設けられた木製の燃え代層２２と、を有して構成されている。
【００１７】
梁部材１６では、火災時に火炎が燃え代層２２に着火し、燃え代層２２が燃焼する。そして、燃焼した燃え代層２２は炭化する。これにより、梁部材１６の外部から荷重支持部１８への熱伝達を炭化した燃え代層２２が抑制し、燃え止まり層２０が吸熱する。よって、火災時及び火災終了後において、荷重支持部１８の温度上昇を抑制することができ、荷重支持部１８によって荷重を支持することができる。
【００１８】
燃え止まり層２０は、木製の板部材２６と、モルタルによって形成された板部材２８とを交互に配置することにより形成されている。なお、板部材２８は、吸熱ができるものであれば、モルタル以外のもので形成されていてもよい。
【００１９】
木質壁１０は、板状の第１耐火木質板部材３０と、第１耐火木質板部材３０と間隔をあけて対向配置された板状の第２耐火木質板部材３２と、を有して構成されている。
【００２０】
第１耐火木質板部材３０は、木製の荷重支持層３４と、荷重支持層３４の外側に設けられた耐火性を有する被覆層３６とを備えている。被覆層３６は、荷重支持層３４の外側に設けられた第１燃え止まり層としての燃え止まり層３８と、燃え止まり層３８の外側に設けられた木製の燃え代層４０とを備えている。
【００２１】
第２耐火木質板部材３２は、木製の荷重支持層４２と、荷重支持層４２の外側に設けられた耐火性を有する被覆層４４とを備えている。被覆層４４は、荷重支持層４２の外側に設けられた第１燃え止まり層としての燃え止まり層４６と、燃え止まり層４６の外側に設けられた木製の燃え代層４８とを備えている。
【００２２】
燃え止まり層３８、４６は、木製の板部材６２と、モルタルによって形成された板部材６４とを交互に配置することにより形成されている。なお、板部材６４は、吸熱ができるものであれば、モルタル以外のもので形成されていてもよい。
【００２３】
木質壁１０は、第１耐火木質板部材３０の荷重支持層３４の内面と、第２耐火木質板部材３２の荷重支持層４２の内面とを間隔をあけて対向配置することにより、第１耐火木質板部材３０と第２耐火木質板部材３２とが間隔をあけて対向配置されている。これにより、第１耐火木質板部材３０の荷重支持層３４の内面と、第２耐火木質板部材３２の荷重支持層４２の内面との間に空気層５０が形成されている。
【００２４】
荷重支持層３４、４２は、耐震壁としての木質壁１０に作用する水平荷重を負担するものである。なお、木質壁１０に作用する水平荷重と鉛直荷重とを、荷重支持層３４、４２が負担するようにしてもよい。
【００２５】
梁部材１６の外周面（燃え代層２２の下面）には、ラグスクリュー５２によってスペーサー部材５４が取り付けられている。また、床スラブ１２の上面には、床スラブ１２に埋設されたアンカーボルト５６に係合するナット５８によってスペーサー部材６０が取り付けられている。スペーサー部材５４、６０は、図２の斜視図に示すように、鋼板をコの字状に折り曲げて形成した鋼製部材である。なお、スペーサー部材５４は、ビスやネジ等のラグスクリュー５２以外のものによって梁部材１６の外周面（燃え代層２２の下面）に取り付けてもよい。また、スペーサー部材５４、６０は、鋼板同士を溶接で接合して形成してもよい。
【００２６】
図１に示すように、スペーサー部材５４、６０は、第１耐火木質板部材３０の荷重支持層３４と、第２耐火木質板部材３２の荷重支持層４２との間に設けられている。すなわち、スペーサー部材５４、６０は、耐火性を有する被覆層３６（燃え止まり層３８）と、耐火性を有する被覆層４４（燃え止まり層４６）との間に配置されている。
【００２７】
第１耐火木質板部材３０の上端部と第２耐火木質板部材３２の上端部とは、荷重支持層３４の上端部と荷重支持層４２の上端部とを、接合部材としてのドリフトピン６６によりスペーサー部材５４に接合することにより、梁部材１６に接合されている。
【００２８】
ドリフトピン６６は、第１耐火木質板部材３０の上端部に形成された貫通孔７８からスペーサー部材５４に形成された貫通孔８２を介して、第２耐火木質板部材３２の上端部に形成された貫通孔８０へ挿入され、又は第２耐火木質板部材３２の上端部に形成された貫通孔８０からスペーサー部材５４に形成された貫通孔８２を介して、第１耐火木質板部材３０の上端部に形成された貫通孔７８へ挿入されて、荷重支持層３４から荷重支持層４２へ渡って配置されている。また、貫通孔７８、８０のドリフトピン６６が配置されていない部分は、木栓８４によって塞がれている。
【００２９】
第１耐火木質板部材３０の下端部と第２耐火木質板部材３２の下端部とは、荷重支持層３４の下端部と荷重支持層４２の下端部とを、接合部材としてのドリフトピン７２によりスペーサー部材６０に接合することにより、床スラブ１２に接合されている。
【００３０】
ドリフトピン７２は、第１耐火木質板部材３０の下端部に形成された貫通孔８６からスペーサー部材６０に形成された貫通孔８２を介して、第２耐火木質板部材３２の下端部に形成された貫通孔８８へ挿入され、又は第２耐火木質板部材３２の下端部に形成された貫通孔８８からスペーサー部材６０に形成された貫通孔８２を介して、第１耐火木質板部材３０の下端部に形成された貫通孔８６へ挿入されて、荷重支持層３４から荷重支持層４２へ渡って配置されている。また、貫通孔８６、８８のドリフトピン７２が配置されていない部分は、木栓８４によって塞がれている。
【００３１】
梁部材１６の下面と、第１耐火木質板部材３０（被覆層３６）の上端面、及び第２耐火木質板部材３２（被覆層４４）の上端面との目地には、木栓６８が充填されている。また、床スラブ１２の上面と、第１耐火木質板部材３０（被覆層３６）の下端面、及び第２耐火木質板部材３２（被覆層４４）の下端面との目地には、木栓７０が充填されている。なお、梁部材１６の下面と、第１耐火木質板部材３０（被覆層３６）の上端面、及び第２耐火木質板部材３２（被覆層４４）の上端面との目地や、床スラブ１２の上面と、第１耐火木質板部材３０（被覆層３６）の下端面、及び第２耐火木質板部材３２（被覆層４４）の下端面との目地に、木栓以外の充填部材や充填材を充填してもよい。
【００３２】
次に、本発明の実施形態に係る木質壁の作用と効果について説明する。
【００３３】
本実施形態の木質壁１０では、図１に示すように、火災時に火炎が、第１耐火木質板部材３０の燃え代層４０や第２耐火木質板部材３２の燃え代層４８に着火し、燃え代層４０、４８が燃焼する。そして、燃焼した燃え代層４０、４８は炭化する。これにより、木質壁１０の外部から荷重支持層３４、４２への熱伝達を炭化した燃え代層４０、４８が抑制し、燃え止まり層３８、４６が吸熱する。よって、火災時及び火災終了後において、荷重支持層３４、４２の温度上昇を抑制することができ、荷重支持層３４、４２によって荷重を支持することができる。
【００３４】
また、図１に示すように、第１耐火木質板部材３０と第２耐火木質板部材３２とを間隔をあけて対向配置することにより、第１耐火木質板部材３０の荷重支持層３４と、第２耐火木質板部材３２の荷重支持層４２との間に空気層５０を形成し、この空気層５０によって遮音性を発揮することができる。これらにより、木質壁１０を、耐火性と遮音性を有する木質壁とすることができる。
【００３５】
さらに、本実施形態の木質壁１０では、図１に示すように、スペーサー部材５４、６０により、第１耐火木質板部材３０の荷重支持層３４と、第２耐火木質板部材３２の荷重支持層４２との間に、容易に空気層５０を形成することができる。また、スペーサー部材５４、６０により、構造部材としての梁部材１６及び床スラブ１２に第１耐火木質板部材３０及び第２耐火木質板部材３２を確実に接合することができる。また、第１耐火木質板部材３０の上端部と第２耐火木質板部材３２の上端部とを梁部材１６に接合することにより、木質壁１０を自立させることができる。
【００３６】
以上、本発明の実施形態について説明した。
【００３７】
なお、本実施形態では、図１に示すように、荷重支持部１８、荷重支持層３４、４２、板部材２６、６２、及び燃え代層２２、４０、４８を木製とした例を示したが、荷重支持部１８、荷重支持層３４、４２、板部材２６、６２、及び燃え代層２２、４０、４８は、木材によって形成されていればよい。例えば、荷重支持部１８、荷重支持層３４、４２、板部材２６、６２、及び燃え代層２２、４０、４８は、米松、唐松、檜、杉、あすなろ等の一般の木造建築に用いられる木材（以下、「一般木材」とする）によって形成してもよいし、これらの一般木材を角柱状の単材に加工し、この単材を複数集成し単材同士を接着剤により接着して一体化することによって形成してもよい。また、例えば、荷重支持部１８、荷重支持層３４、４２、板部材２６、６２、及び燃え代層２２、４０、４８は、ＬＶＬ（Laminated Veneer Lumber）やＣＬＴ（Cross Laminated Timber）により構成してもよい。ＬＶＬは、製材された単板を、繊維方向を揃えて積層接着した木質材料（所謂、単板積層材）であり、ＣＬＴは、ひき板を繊維方向が直交するように積層接着したパネル材（所謂、直交集成材）である。
【００３８】
また、本実施形態では、図１に示すように、燃え止まり層２０を、木製の板部材２６と、モルタルによって形成された板部材２８とを交互に配置することにより形成し、燃え止まり層３８、４６を、木製の板部材６２と、モルタルによって形成された板部材６４とを交互に配置することにより形成した例を示したが、燃え止まり層２０、３８、４６は、火炎及び熱の進入を抑えて燃え止まり効果を発揮できる層であればよい。例えば、燃え止まり層は、難燃性を有する層や熱の吸収が可能な層であればよい。
【００３９】
難燃性を有する層としては、木材に難燃薬剤を注入して不燃化処理した難燃薬剤注入層が挙げられる。熱の吸収が可能な層は、一般木材よりも熱容量が大きな材料、一般木材よりも断熱性が高い材料、又は一般木材よりも熱慣性が高い材料によって形成してもよいし、これらの材料と一般木材とを組み合わせて形成してもよい。
【００４０】
一般木材よりも熱容量が大きな材料としては、モルタル、石材、ガラス、繊維補強セメント、石膏等の無機質材料、各種の金属材料などが挙げられる。一般木材よりも断熱性が高い材料としては、珪酸カルシウム板、ロックウール、グラスウールなどが挙げられる。一般木材よりも熱慣性が高い材料としては、セランガンバツ、ジャラ、ボンゴシ等の木材が挙げられる。
【００４１】
さらに、本実施形態では、図１に示すように、木質壁１０を耐震壁とした例を示したが、木質壁１０は、耐震壁以外の壁であってもよい。
【００４２】
また、本実施形態では、図１に示すように、第１耐火木質板部材３０が、荷重支持層３４、燃え止まり層３８及び燃え代層４０を備え、第２耐火木質板部材３２が、荷重支持層４２、燃え止まり層４６及び燃え代層４８を備えた例を示したが、第１耐火木質板部材３０及び第２耐火木質板部材３２は、木製の荷重支持層と、荷重支持層の外側に設けられた耐火性を有する被覆層とを有して構成されていればよい。
【００４３】
被覆層は、例えば、燃え止まり層のみで構成してもよいし、燃え代層のみで構成してもよいし、燃え止まり層と燃え止まり層の周囲を取り囲むようにして設けられた燃え代層以外の層（例えば、薄い木製の仕上げ材）とで構成してもよい。
【００４４】
さらに、本実施形態では、図１に示すように、木質壁１０（第１耐火木質板部材３０及び第２耐火木質板部材３２）が接合される構造部材を、木製の梁部材１６や鉄筋コンクリート製の床スラブ１２とした例を示したが、木質壁１０が接合される構造部材は、柱部材等の他の用途の構造部材であってもよいし、他の構造のものであってもよい。
【００４５】
例えば、図３の平面断面図に示すように、構造部材を木質の柱部材９０としてもよい。柱部材９０は、荷重を支持する木製の荷重支持部９２と、荷重支持部９２の外周を取り囲むようにして荷重支持部９２の外側に設けられた燃え止まり層９４と、燃え止まり層９４の外周を取り囲むようにして燃え止まり層９４の外側に設けられた木製の燃え代層９６と、を有して構成されている。
【００４６】
荷重支持部９２は、図１で示した荷重支持部１８と、燃え止まり層９４は、図１で示した燃え止まり層２０と、燃え代層９６は、図１で示した燃え代層２２と同じ構成になっている。木質壁１０は、図１で示した木質壁１０と同じ構成なので、同符号を付すとともに説明を省略する。
【００４７】
柱部材９０の外周面には、ラグスクリュー５２によってスペーサー部材５４が取り付けられている。第１耐火木質板部材３０の側端部と第２耐火木質板部材３２の側端部とは、荷重支持層３４の側端部と荷重支持層４２の側端部とを、接合部材としてのドリフトピン６６によりスペーサー部材５４に接合することにより、柱部材９０に接合されている。また、柱部材９０の外周面と、第１耐火木質板部材３０（被覆層３６）の側端面、及び第２耐火木質板部材３２（被覆層４４）の側端面との目地には、木栓６８が充填されている。
【００４８】
また、本実施形態では、構造部材としての梁部材１６に、木質壁１０を構成する第１耐火木質板部材３０と第２耐火木質板部材３２とを接合した例を示したが、図４の側面断面図、及び図５の平面断面図に示すように、構造部材の備える燃え止まり層と、木質壁１０の備える燃え止まり層とが連続するようにして、構造部材に第１耐火木質板部材３０と第２耐火木質板部材３２とを接合するようにしてもよい。
【００４９】
図４では、構造部材としての梁部材１００が、荷重を支持する木製の荷重支持部１０２と、荷重支持部１０２の左右側面に設けられた第２燃え止まり層としての燃え止まり層１０４と、燃え止まり層１０４の外面に設けられた燃え代層１０６とを有して構成されている。
【００５０】
荷重支持部１０２は、図１で示した荷重支持部１８と、燃え止まり層１０４は、図１で示した燃え止まり層２０と、燃え代層１０６は、図１で示した燃え代層２２と同じ構成になっている。木質壁１０は、図１で示した木質壁１０と同じ構成なので、同符号を付すとともに説明を省略する。
【００５１】
梁部材１００の外周面（荷重支持部１０２の下面）には、ラグスクリュー５２によってスペーサー部材５４が取り付けられている。第１耐火木質板部材３０の上端部と第２耐火木質板部材３２の上端部とは、荷重支持層３４の上端部と荷重支持層４２の上端部とを、接合部材としてのドリフトピン６６によりスペーサー部材５４に接合することにより、梁部材１００に接合されている。
【００５２】
第１耐火木質板部材３０及び第２耐火木質板部材３２の上端部が梁部材１００に接合された状態で、梁部材１００の荷重支持部１０２、燃え止まり層１０４、燃え代層１０６の下面と、荷重支持層３４、４２、燃え止まり層３８、４６、燃え代層４０、４８の上端面とはそれぞれ接触している。すなわち、梁部材１００の燃え止まり層１０４は、木質壁１０の燃え止まり層３８、４６と連続するように梁部材１００に設けられている。
【００５３】
また、荷重支持部１０２の左側面と荷重支持層３４の外面、荷重支持部１０２の右側面と荷重支持層４２の外面、燃え止まり層１０４の内面と燃え止まり層３８の内面、燃え止まり層１０４の内面と燃え止まり層４６の内面、燃え止まり層１０４の外面と燃え止まり層３８の外面、燃え止まり層１０４の外面と燃え止まり層４６の外面、燃え代層１０６の内面と燃え代層４０の内面、燃え代層１０６の内面と燃え代層４８の内面、燃え代層１０６の外面と燃え代層４０の外面、及び燃え代層１０６の外面と燃え代層４８の外面とは、それぞれ面一になっている。
【００５４】
図４の木質壁１０では、被覆層３６、４４に設けられた燃え止まり層３８、４６と、梁部材１００に設けられた燃え止まり層１０４とが連続しているので、第１耐火木質板部材３０及び第２耐火木質板部材３２と、梁部材１００との接合部から内部への熱の進入を抑制することができる。これにより、第１耐火木質板部材３０及び第２耐火木質板部材３２の荷重支持層３４、４２と、梁部材１００の荷重支持部１０２との燃焼を抑制し、木質壁１０及び梁部材１００の耐火性を向上させることができる。
【００５５】
図５では、構造部材としての柱部材１０８が、荷重を支持する木製の荷重支持部１１０と、荷重支持部１１０の左右側面に設けられた第２燃え止まり層としての燃え止まり層１１２と、燃え止まり層１１２の外面に設けられた燃え代層１１４とを有して構成されている。
【００５６】
荷重支持部１１０は、図１で示した荷重支持部１８と、燃え止まり層１１２は、図１で示した燃え止まり層２０と、燃え代層１１４は、図１で示した燃え代層２２と同じ構成になっている。木質壁１０は、図１で示した木質壁１０と同じ構成なので、同符号を付すとともに説明を省略する。
【００５７】
柱部材１０８の外周面（荷重支持部１１０の側面）には、ラグスクリュー５２によってスペーサー部材５４が取り付けられている。第１耐火木質板部材３０及び第２耐火木質板部材３２の側端部は、荷重支持層３４の側端部と荷重支持層４２の側端部とを、接合部材としてのドリフトピン６６によりスペーサー部材５４に接合することにより、柱部材１０８に接合されている。
【００５８】
第１耐火木質板部材３０及び第２耐火木質板部材３２の側端部が柱部材１０８に接合された状態で、柱部材１０８の荷重支持部１１０、燃え止まり層１１２、燃え代層１１４の側端面と、荷重支持層３４、４２、燃え止まり層３８、４６、燃え代層４０、４８の側端面とはそれぞれ接触している。すなわち、柱部材１０８の燃え止まり層１１２は、木質壁１０の燃え止まり層３８、４６と連続するように柱部材１０８に設けられている。
【００５９】
また、柱部材１０８と、この柱部材１０８に接合された一方の木質壁１０（図５において柱部材１０８の下側に描かれている木質壁１０）とにおいては、荷重支持部１１０の左側面と荷重支持層３４の外面、荷重支持部１１０の右側面と荷重支持層４２の外面、燃え止まり層１１２の内面と燃え止まり層３８の内面、燃え止まり層１１２の内面と燃え止まり層４６の内面、燃え止まり層１１２の外面と燃え止まり層３８の外面、燃え止まり層１１２の外面と燃え止まり層４６の外面、燃え代層１１４の内面と燃え代層４０の内面、燃え代層１１４の内面と燃え代層４８の内面、燃え代層１１４の外面と燃え代層４０の外面、及び燃え代層１１４の外面と燃え代層４８の外面とは、それぞれ面一になっている。
【００６０】
さらに、柱部材１０８と、この柱部材１０８に接合された他方の木質壁１０（図５において柱部材１０８の上側に描かれている木質壁１０）とにおいては、荷重支持部１１０の左側面と荷重支持層４２の外面、荷重支持部１１０の右側面と荷重支持層３４の外面、燃え止まり層１１２の内面と燃え止まり層４６の内面、燃え止まり層１１２の内面と燃え止まり層３８の内面、燃え止まり層１１２の外面と燃え止まり層４６の外面、燃え止まり層１１２の外面と燃え止まり層３８の外面、燃え代層１１４の内面と燃え代層４８の内面、燃え代層１１４の内面と燃え代層４０の内面、燃え代層１１４の外面と燃え代層４８の外面、及び燃え代層１１４の外面と燃え代層４０の外面とは、それぞれ面一になっている。
【００６１】
図５の木質壁１０では、被覆層３６、４４に設けられた燃え止まり層３８、４６と、柱部材１０８に設けられた燃え止まり層１１２とが連続しているので、第１耐火木質板部材３０及び第２耐火木質板部材３２と、柱部材１０８との接合部から内部への熱の進入を抑制することができる。これにより、第１耐火木質板部材３０及び第２耐火木質板部材３２の荷重支持層３４、４２と、柱部材１０８の荷重支持部１１０との燃焼を抑制し、木質壁１０及び柱部材１０８の耐火性を向上させることができる。
【００６２】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００６３】
１０  木質壁
１２  床スラブ（構造部材）
１６、１００  梁部材（構造部材）
３０  第１耐火木質板部材
３２  第２耐火木質板部材
３４、４２  荷重支持層
３６、４４  被覆層
３８、４６  燃え止まり層（第１燃え止まり層）
５４、６０  スペーサー部材
６６、７２  ドリフトピン（接合部材）
９０、１０８  柱部材（構造部材）
１０２、１１０  荷重支持部
１０４、１１２  燃え止まり層（第２燃え止まり層）
【図１】
2019090270.tif 000003
【図２】
2019090270.tif 000004
【図３】
2019090270.tif 000005
【図４】
2019090270.tif 000006
【図５】
2019090270.tif 000007